(57)【要約】【課題】本発明の目的は、巻尺により測定するときに、測定対象位置に固定するところがない場合や測定対象物が一人では測定できないほど大きいものである場合であっても、容易に測定可能とする巻尺固定具を提供することにある。【解決手段】本発明は、粘着素材よりなることを特徴とする粘着式巻尺固定具とすることで、巻尺により測定するときに、測定対象位置に固定するところがない場合や測定対象物が一人では測定できないほど大きいものである場合であっても、容易に測定できる効果がある。【選択図】図１
2005083822.tif 000002
【特許請求の範囲】
【請求項１】
粘着素材よりなることを特徴とする粘着式巻尺固定具。
【請求項２】
前記粘着素材が容器に収納されていることを特徴とする請求項１記載の粘着式巻尺固定具。
【請求項３】
請求項１又は２記載の粘着式巻尺固定具よりなる巻尺。
【発明の詳細な説明】
【技術分野】
【０００１】
本発明は、巻尺の先端等を固定する固定具に関するものである。特に長い寸法を、簡単に測定することができる粘着式巻尺固定具に関するものである。
【背景技術】
【０００２】
従来、巻尺により寸法を測定する際、巻尺の先端を引き出し、当該先端を測ろうとする対象物の位置に固定するか、手で押さえるか或いは二人以上で、所定の寸法を測っていた。或いは対象物の位置に画鋲（特許文献１又は２参照）を突き刺して巻尺の先端を引っ掛けていた。
【発明の開示】
【発明が解決しようとする課題】
【０００３】
しかし、上記方法では、測定の対象物の所定の位置に固定部分がないときや、一人が両手を広げてた寸法以上の長さのときの測定は困難であり、どうしても測定したいときは、二人の人間が必要となる問題があった。また、測定物が金属等の硬い材質のものであれば、画鋲を利用できない問題があった。
【特許文献１】特開平８−３００８９５号公報
【特許文献２】特開平８−３１０１９９号公報  本発明の目的は、巻尺により測定するときに、測定対象位置に固定するところがない場合や測定対象物が一人では測定できないほど大きいものである場合であっても、容易に測定可能とする巻尺固定具を提供することにある。
【課題を解決するための手段】
【０００４】
本発明者は鋭意検討した結果、粘着素材よりなることを特徴とする粘着式巻尺固定具とすることで、測定の対象物の所定の位置に固定部分がないときや、一人が両手を広げた寸法以上の長さのときであっても、巻尺の先端を固定することができるので、容易に測定可能となる。また、前記粘着素材を容器に収納した粘着式巻尺固定具とすることで、使用が便利となる。さらに、当該粘着式巻尺固定具よりなる巻尺とすることで、さらに上記問題のない巻尺が提供できる。即ち、巻尺リールより引き出した巻尺先端を、本発明の粘着式巻尺固定具にて、巻尺先端の上から押さえ又は引っ掛けて測定対象物の所定位置に固定することで、極めて容易に測定ができるものである。
【発明の効果】
【０００５】
本発明は、粘着素材よりなることを特徴とする粘着式巻尺固定具とすることで、巻尺により測定するときに、測定対象位置に固定するところがない場合や測定対象物が一人では測定できないほど大きいものである場合であっても、容易に測定できる効果がある。
【発明を実施するための最良の形態】
【０００６】
以下、本発明について実施例にて詳細に説明する。但し、本発明は実施例に限定されるものでもない。
【０００７】
本発明の粘着素材を、容器に装着する場合の実施例について図１〜図２に示す。図１は、本発明の粘着式巻尺固定具であり、粘着素材７を容器本体２に装着した粘着式巻尺固定具１を示す。前記容器本体２には蓋３がヒンジ８とヒンジ中間部９を介して連結されている。蓋３は、粘着式巻尺固定具１の不使用時における粘着素材７を保護するため、内部と外界を遮断する役目を果たす。また、ヒンジ８及びヒンジ中間部９は蓋３又は下蓋７の開閉の支点として働き、特にヒンジ中間部９は、粘着式巻尺固定具１を使用する際、蓋３が１８０度以上に開くようにすることで、使用の邪魔にならないようにするものである。
【０００８】
蓋３には、蓋ロック片５が付けられており、当該蓋ロック片５に設けられた穴と、容器本体２の側面に設けた突起６とが係合して、粘着式巻尺固定具１の不使用時における蓋をしたとき、蓋３を固定することが出来るようになっている。
【０００９】
また、容器本体２の上面には、摘み突出部４が設けられている。当該摘み突出部４は、巻尺の先端を固定する際に、指先で持ち易いようにするために設けられたものである。また、巻尺の先端がワッカになっている場合に、該ワッカを前記摘み突出部４に掛けることで、巻尺の先端を固定する役目を果たすことができる。
【００１０】
図２は、粘着素材７を入れていない容器であって、蓋を開いた状態を示すものであるが、容器本体２の内部は、粘着素材７を入れる粘着素材収納部１０が設けられている。また、容器本体２には巻尺の先端を引っ掛ける引っ掛け片１１が設けられている。当該引っ掛け片１１にも巻尺の先端を引っ掛けることで、巻尺の先端を固定する役目を果たすことができる。
【００１１】
本発明に使用する容器は、ポリエチレン樹脂、ポリプロピレン樹脂、ナイロン樹脂、ポリアセタール樹脂、アクリル樹脂、スチレン樹脂、ポリエステル樹脂、ＰＥＴ樹脂、ＰＢＴ樹脂等のプラスチックや金属、セラミック、木材等により作製することが出来る。作製の容易性の点で射出成形が容易なプラスチックが好ましい。さらに、ヒンジ機能を利用する点では、ポリプロピレン樹脂がさらに好ましい。
【００１２】
また、粘着素材７の組成は、自然に存在する粘土やブチルゴム、スチレンブタジエンゴム、イソプレンゴム等の未加硫ゴムよりなり、必要により粘着性を上げるためにワセリン又はタッキロール１０１、タッキロール１３０−Ｇ（以上、田岡化学）、ヒタノ−ル１５０１（日立化成）の商品名で市販されている粘着付与剤を配合することができる。  
【００１３】
次に、上記実施例の使用方法について説明する。上述の通り、巻尺のリール先端を本発明の粘着式巻尺固定具１に取付けられた摘み突出部４又は引っ掛け片１１に引っ掛けて巻尺と粘着式巻尺固定具１とを連結し、当該連結体を測定位置に固定することで、所望の測定を行っても良いし、また先ず粘着式巻尺固定具１を所定の位置に固定した後、巻尺のリール先端を該粘着式巻尺固定具１の摘み突出部４又は引っ掛け片１１に引っ掛けても良い。さらに、別の方法として、図３に示す様に、巻尺リールのベルト１２を上から本発明の粘着式巻尺固定具１を直接、押え付けることで、巻尺リールを固定することができる。この様にすることで、巻尺の先端の固定が安定するとともに、金属ベルトでできている巻尺の場合に安定して真っ直ぐに設置できる長さの限界を大幅に長くすることができる効果がある。尚、粘着式巻尺固定具１を巻尺のリール先端に直接取付けて、それを巻尺としてもよい。
【００１４】
また、容器本体２の内部の粘着素材７を入れる粘着素材収納部１０に中敷を設けて、当該中敷の反対裏面側に予備の粘着素材７を収納できるようにしてもよい。さらに、容器本体２に巻尺の金属ベルトの先端を９０度に折り曲げられた折り曲げ部を挿入して固定する穴を設けてもよい。当該穴に折り曲げ部を挿入するだけで、簡単に安定した固定ができる。
【図面の簡単な説明】
【００１５】
【図１】本発明の粘着式巻尺固定具の蓋を開いてときの側面図を示す。
【図２】本発明の粘着式巻尺固定具の蓋を開いてときの平面図を示す。
【図３】本発明の粘着式巻尺固定具の使用時の状態を示す図である。
【符号の説明】
【００１６】
１      粘着式巻尺固定具
２      容器本体
３      蓋
４      摘み突出部
５      蓋ロック片
６      突起
７      粘着素材
８      ヒンジ
９      ヒンジ中間部
１０    粘着素材収納部
１１    引っ掛け片 
１２    ベルト
【図１】
2005083822.tif 000003
【図２】
2005083822.tif 000004
【図３】
2005083822.tif 000005